(57)【要約】【課題】画像の高精細化を実現することができると共に静電気破壊（静電キズ）の発生を低減することができる液晶表示パネルを提供する。【解決手段】液晶表示パネル１０は、偏光板１１，１２と、偏光板１１，１２間に介装されたコモンガラス１３及びセグメントガラス１４と、コモンガラス１３及びセグメントガラス１４間を所定間隔に保持するスペーサ１５と、コモンガラス１３及びセグメントガラス１４間に介装された液晶層１６とを備える。セグメントガラス１４は、上部領域１４ａに配設された上部電極４１と、下部領域１４ｂに配設された下部電極４２と、左側部領域１４ｃ及び右側部領域１４ｄに配設され、上部領域１４ａにおける上部端子エリア１４ｆと下部領域１４ｂにおける下部端子エリア１４ｇとを接続するダミー端子電極４３とを有する。【選択図】図４
2007156346.tif 000002
【特許請求の範囲】
【請求項１】
コモンガラス基板及びセグメントガラス基板から成る２枚のガラス基板と、前記２枚のガラス基板間に介装された液晶層とを備える液晶表示パネルにおいて、前記セグメントガラス基板は、上部領域に配設された上部電極と、前記上部電極と所定間隔を介して対向するように下部領域に配設された下部電極と、前記上部領域と前記下部領域とを接続する端子電極とを有することを特徴とする液晶表示パネル。
【請求項２】
前記所定間隔は１．０〜６０μｍであることを特徴とする請求項１記載の液晶表示パネル。
【請求項３】
前記端子電極は前記セグメントガラス基板の側部領域に配設されていることを特徴とする請求項１又は２記載の液晶表示パネル。
【発明の詳細な説明】
【技術分野】
【０００１】
本発明は、液晶表示パネルに関し、特に、ＤＳＴＮ方式の液晶表示パネルに関する。
【背景技術】
【０００２】
従来より、フラットパネルディスプレイ（ＦＰＤ）として液晶表示パネル（ＬＣＤ）が使用されている。現在、フラットパネルディスプレイに対するニーズの高度化に伴い、フラットパネルディスプレイに使用される液晶表示パネルにおける画像の高精細化が求められている。この液晶ディスプレイにおける画像の高精細化を図るためには、液晶表示パネルにおけるＩＴＯ配線数を増加して、ＩＴＯ配線間距離をより短くする（ファインピッチにする）必要がある。
【０００３】
画像が高精細化された液晶表示パネルとしてＤＳＴＮ（Ｄｕａｌ−ｓｃａｎ  Ｓｕｐｅｒ  Ｔｗｉｓｔｅｄ  Ｎｅｍａｔｉｃ）方式のもの（ＤＳＴＮ液晶ディスプレイ）があるが、このＤＳＴＮ液晶ディスプレイは単純マトリックス方式のＳＴＮ液晶ディスプレイを改良して応答速度を向上させたものである。ここで、単純マトリックス方式とは、液晶を間に介装する２枚のガラス板の上に、電極を縦横の格子状に張り巡らせて、縦横それぞれタイミングを合わせて電気信号を送ることによって画素を点灯させる方式である（例えば、特許文献１参照）。
【０００４】
ＤＳＴＮ液晶ディスプレイは、単純マトリックス方式のＳＴＮ液晶ディスプレイに含まれるが、応答速度を向上するために、セグメントガラスにおける液晶パネル電極を上下に２分割し、上下に２分割された液晶パネル電極を夫々同時に制御している。このようなＤＳＴＮ液晶ディスプレイは、上下に分割された液晶パネル電極が別々の駆動回路を使用することにより、通常のＳＴＮ液晶ディスプレイよりも同じ水平走査周波数で１ドット当たりの表示時間を長くすることができ、もって画像のコントラストや応答速度を向上することができる。また、ＤＳＴＮ液晶ディスプレイは、アクティブマトリックス方式のＴＦＴ液晶ディスプレイよりも安価に製造することができるため、低価格のノートパソコンや携帯電話用ディスプレイ等に利用されている。
【特許文献１】特開２００１−０１１４５０号公報
【発明の開示】
【発明が解決しようとする課題】
【０００５】
しかしながら、上記ＤＳＴＮ液晶ディスプレイのセグメントガラス６４における上下に２分割された液晶パネル電極（上部電極６１及び下部電極６２）は、両端子６１ａ，６２ａがアクティブエリア６４ｅの中央部分で１０μｍの距離Ｄ（センターギャップ）を介して対向するように配設されている（図６）。これら両端子６１ａ，６２ａ間の距離Ｄ（センターギャップ）が通常１０μｍと短いため、アクティブエリア６４ｅの中央部分に静電気破壊（静電キズ）が発生する。
【０００６】
ここで、電極に静電気（電荷）が印加された場合、線電荷の式より電場Ｅは下記式（１）により表される。
【０００７】
Ｅ＝ρ／２πε０ｒ                                                  …（１）
但し、ρは長さ１ｍの電極に帯電している電荷を示し、ε０は電極の真空中の誘電率を示し、ｒは距離を示す。
【０００８】
上記式（１）から距離ｒが小さいほど電場Ｅは大きくなることが分かる。例えば、図７に示すように電極７２と、電極７２との間隔がＤ１となるように配設された電極７１と、電極７２との間隔がＤ１よりも短いＤ２となるように配設された電極７３とを備える構成において、静電気が電極７２に印加され、電極７２が帯電して隣合う電極７１，７３との間に電位差が生じた場合、電極間距離が短い電極７２及び電極７３間に放電７０が起こる。
【０００９】
即ち、センターギャップＤが短いほど、放電して静電気破壊（静電キズ）が発生しやすいことが分かる。
【００１０】
本発明の目的は、画像の高精細化を実現することができると共に静電気破壊（静電キズ）の発生を低減することができる液晶表示パネルを提供することにある。
【課題を解決するための手段】
【００１１】
上記目的を達成するために、請求項１記載の液晶表示パネルは、コモンガラス基板及びセグメントガラス基板から成る２枚のガラス基板と、前記２枚のガラス基板間に介装された液晶層とを備える液晶表示パネルにおいて、前記セグメントガラス基板は、上部領域に配設された上部電極と、前記上部電極と所定間隔を介して対向するように下部領域に配設された下部電極と、前記上部領域と前記下部領域とを接続する端子電極とを有することを特徴とする。
【００１２】
請求項２記載の液晶表示パネルは、請求項１記載の液晶表示パネルにおいて、前記所定間隔は１．０〜６０μｍであることを特徴とする。
【００１３】
請求項３記載の液晶表示パネルは、請求項１又は２記載の液晶表示パネルにおいて、前記端子電極は前記セグメントガラス基板の側部領域に配設されていることを特徴とする。
【発明の効果】
【００１４】
請求項１記載の液晶表示パネルによれば、端子電極は上部領域と下部領域とを接続するので、画像の高精細化を実現することができると共に静電気破壊（静電キズ）の発生を低減することができる。
【００１５】
請求項３記載の液晶表示パネルによれば、端子電極はセグメントガラス基板の側部領域に配設されているので、画像の高精細化を確実に実現することができる。
【発明を実施するための最良の形態】
【００１６】
以下、本発明の実施の形態に係る液晶表示パネルを図面を参照しながら説明する。
【００１７】
図１は、本発明の実施の形態に係る液晶表示パネルの構成を概略的に示す断面図である。
【００１８】
図１において、液晶表示パネル１０は、偏光板１１，１２と、偏光板１１，１２間に介装されたコモンガラス１３及びセグメントガラス１４と、コモンガラス１３及びセグメントガラス１４間を所定間隔に保持するスペーサ１５と、コモンガラス１３及びセグメントガラス１４間に介装された液晶層１６とを備える。
【００１９】
コモンガラス１３における液晶層１６との接面（下面）側には、横方向（方向Ａ）にＩＴＯ膜等の透明導電膜から成る電極（図２における２０）が形成され、この形成された電極２０の上に配向膜１７が形成されている。なお、コモンガラス１３はマザーガラスから縦４個×横５個の多面取りによって得られたものである。
【００２０】
セグメントガラス１４における液晶層１６との接面（上面）側には、横方向（方向Ａ）に対して略垂直方向（図３における方向Ｂ）にＩＴＯ膜等の透明導電膜から成る電極（図３における３０）が形成され、この形成された電極３０の上に配向膜１８が形成されている。なお、セグメントガラス１４はマザーガラスから縦４個×横５個の多面取りによって得られたものである。
【００２１】
図４は、図１におけるセグメントガラス１４に形成された電極３０の配線パターンを説明する図である。
【００２２】
図４において、セグメントガラス１４は、間隔Ｃが２０μｍとなるように上部領域１４ａに配設された上部電極４１と、間隔Ｃが２０μｍとなるように下部領域１４ｂに配設された下部電極４２と、左側部領域１４ｃ及び右側部領域１４ｄに配設され、上部領域１４ａにおける上部端子エリア１４ｆと下部領域１４ｂにおける下部端子エリア１４ｇとを接続するダミー端子電極４３とを有する。ここで、上部電極４１及び下部電極４２は、両端子４１ａ，４２ａがアクティブエリア１４ｅの中央部分で１０μｍの距離Ｄ（センターギャップ）を介して対向するように配設されている。
【００２３】
図５は、静電気の電荷の流れを説明する図であり、（ａ）は従来の液晶表示パネルにおけるセグメントガラス６４の上部電極６１に静電気が印加された場合を示し、（ｂ）は図１におけるセグメントガラス１４の上部電極４１に静電気が印加された場合を示す。
【００２４】
従来のセグメントガラス６４の上部電極６１の所定位置５０に静電気が印加された場合、図５（ａ）に示すように、静電気の電荷は、まず、静電気が印加された上部電極６１全体に伝わる（矢印Ｄ）。その後、静電気が印加された上部電極６１全体に伝わった電荷は、上部端子エリア６４ｆにおいて、静電気が印加された上部電極６１から他の上部電極６１に移動（放電）する（矢印Ｅ）。その後、他の上部電極６１に移動した電荷は、上部端子エリア６４ｆからアクティブエリア６４ｅの中央部分に向かって移動する（矢印Ｆ）。従来のセグメントガラス６４は上部領域６４ａと下部領域６４ｂとが接続されていないため、印加された静電気の電荷はセグメントガラス６４の上部領域６４ａ内でしか移動することができない。よって、上部電極６１と下部電極６２との間に電位差が発生し、この発生した電位差がセグメントガラス６４の耐静電気量を超えたとき、両端子６１ａ，６２ａ間で放電が起こり、静電気破壊（静電キズ）が発生する。
【００２５】
一方、本発明におけるセグメントガラス１４の上部電極４１の所定位置５０に静電気が印加された場合、図５（ｂ）に示すように、静電気の電荷は、まず、静電気が印加された上部電極４１全体に伝わる（矢印Ｄ）。その後、静電気が印加された上部電極４１全体に伝わった電荷は、上部端子エリア１４ｆにおいて、静電気が印加された上部電極４１から他の上部電極４１に移動（放電）する（矢印Ｅ）。その後、静電気が印加された他の上部電極４１に移動した電荷は、上部端子エリア１４ｆからアクティブエリア１４ｅの中央部分に向かって移動する（矢印Ｆ）ことに加えて、ダミー端子電極４３を上部端子エリア１４ｆからアクティブエリア１４ｅを通って下部端子エリア１４ｇに向かって移動する（矢印G）。このダミー端子電極４３を移動した電荷は、下部端子エリア１４ｇにおいて、ダミー端子電極４３から下部電極４２に移動（放電）する（矢印H）。その後、下部電極４２に移動した電荷は、下部端子エリア１４ｇからアクティブエリア１４ｅの中央部分に向かって移動する（矢印Ｉ）。
【００２６】
以上より、液晶表示パネル１０のセグメントガラス１４は、ダミー端子電極４３が上部領域１４ａにおける上部端子エリア１４ｆと下部領域１４ｂにおける下部端子エリア１４ｇとを接続する構成になっているので、例えば、上部電極４１の所定位置５０に静電気が印加された場合であっても、静電気の電荷を上部電極４１のみならず下部電極４２にも移動させて上部電極４１及び下部電極４２間の電位差を低減することができ、もって両端子４１ａ，４２ａ間の放電による静電気破壊（静電キズ）の発生を低減することができる。
【００２７】
次に、本発明に係る実施例を具体的に説明する。
【００２８】
全面に製膜された透明導電膜をパターニングし、配向膜を塗布し、ラビングを行い、各ガラス面にシール及びペーストを印刷した厚さが０．７ｍｍのコモンガラス及びセグメントガラスを準備し、この準備したコモンガラス及びセグメントガラスをスペーサを介して組み合わせ、２枚のガラスの隙間に液晶を注入し、所定の液晶層厚さとなるように加熱しながら圧力を印加し、シールを硬化させた。
【００２９】
これにより、画素数が縦９６個×横２３７個、画素の大きさが縦０．２２ｍｍ×横０．３２５ｍｍ、画素のピッチが縦０．２４ｍｍ×横０．３４５ｍｍ、配線領域幅が１ｍｍ、パネルの大きさが縦５２．５６ｍｍ×６７．７ｍｍ、透明導電膜（電極）の抵抗値が３０Ω／□の単純マトリックス駆動の液晶表示パネルを作製した。
【００３０】
なお、セグメントガラスとして、ダミー端子電極を設けたもの（実施例）と、ダミー端子電極を設けていないもの（比較例）とを用いた。
【００３１】
上記作製した液晶表示パネルに１．６８Ｖ、６４Ｈｚの電圧を印加してスタティック駆動し、全表示状態で目視した結果を表１に示す。なお、表示モードを半透過型の位相差フィルム付記白黒モードとした。
【００３２】
【表１】
2007156346.tif 000003
【００３３】
表１から、セグメントガラスにダミー端子電極を設けると（実施例）、セグメントガラスにダミー端子電極を設けない場合（比較例）よりも、静電キズ(黒い丸)の発生率を大幅に低減できることが分かる。
【００３４】
さらに、ダミー端子電極を設けた液晶表示パネルに５．００Ｖの電圧を印加しても静電キズが発生しなかった。このことから、セグメントガラスにダミー端子電極を設けると、静電気に対する耐性を３倍以上に向上できることが分かる。
【００３５】
本実施の形態によれば、ダミー端子電極４３がセグメントガラス１４の左側部領域１４ｃ及び右側部領域１４ｄに配設され、上部領域１４ａにおける上部端子エリア１４ｆと下部領域１４ｂにおける下部端子エリア１４ｇとを接続しているので、液晶表示パネル１０の画像の高精細化を実現することができると共に両端子４１ａ，４２ａ間の放電による静電気破壊（静電キズ）の発生を低減することができる。
【００３６】
本実施の形態では、１枚のマザーガラスから複数のガラスを取り出す多面取りであるが、これに限定されるものではなく、１枚のマザーガラスから１枚のガラスを取り出す１面取りであってもよい。
【図面の簡単な説明】
【００３７】
【図１】本発明の実施の形態に係る液晶表示パネルの構成を概略的に示す断面図である。
【図２】図１におけるコモンガラス１３を説明する図である
【図３】図１におけるセグメントガラス１４を説明する図である。
【図４】図１におけるセグメントガラス１４に形成された電極３０の配線パターンを説明する図である。
【図５】静電気の電荷の流れを説明する図であり、（ａ）は従来の液晶表示パネルにおけるセグメントガラス６４の上部電極６１に静電気が印加された場合を示し、（ｂ）は図１におけるセグメントガラス１４の上部電極４１に静電気が印加された場合を示す。
【図６】従来の液晶表示パネルにおけるセグメントガラス６４に形成された電極の配線パターンを説明する図である。
【図７】従来の液晶表示パネルにおける電極間に発生する放電を説明する図である。
【符号の説明】
【００３８】
１０  液晶表示パネル
１１  偏光板
１２  偏光板
１３  コモンガラス
１４  セグメントガラス
１４ａ  上部領域
１４ｂ  下部領域
１４ｃ  左側部領域
１４ｄ  右側部領域
１４ｆ  上部端子エリア
１４ｇ  下部端子エリア
４１  上部電極
４２  下部電極
４３  ダミー端子電極
【図１】
2007156346.tif 000004
【図２】
2007156346.tif 000005
【図３】
2007156346.tif 000006
【図４】
2007156346.tif 000007
【図５】
2007156346.tif 000008
【図６】
2007156346.tif 000009
【図７】
2007156346.tif 000010